(57)【要約】【課題】保管・運搬時にはコンパクトな形態を保ち、使用時には簡単に組み立てることができる間仕切り構造を提供する。  【解決手段】間仕切り構造は、柱状本体１と、複数のロールスクリーン２と、上下の片持ち式のフレーム要素４，５とを備える。ロールスクリーン２は、不使用時にはバネ付勢力によって柱状本体１内に巻かれた状態で収納される。基端を柱状本体１の上端付近に枢着された上側フレーム要素４と、基端を柱状本体１の下端付近に枢着された下側フレーム要素５とを展開し、ロールスクリーン２を引き出して展開し、ロールスクリーン２の前縁に取り付けられた支柱３と上下フレーム要素４，５の末端とを相互係止することにより、間仕切り構造が展開される。【選択図】  図１
2007070919.tif 000002
【特許請求の範囲】
【請求項１】
柱状本体と、
付勢力によって前記柱状本体内に巻かれた状態で収納される複数のロールスクリーンであって、引き出すことにより横方向に展開可能なロールスクリーンと、
該ロールスクリーンの前縁に沿って取り付けられ上下に延びている支柱と、
前記ロールスクリーンの各々に対して上下一対ずつ設けられた片持ち式のフレーム要素であって、基端が前記柱状本体の端部付近に枢着されており、展開時には前記柱状本体に対して垂直になるよう枢動可能であり、収納時には前記柱状本体と平行になるように枢動可能であるフレーム要素と、
前記ロールスクリーンおよび前記フレーム要素を展開したときに前記支柱の上下端部と前記フレーム要素とを相互係止することにより前記ロールスクリーンを展開状態に維持するための係止手段と、
を備える間仕切り構造。
【請求項２】
柱状本体と、
付勢力によって前記柱状本体内に巻かれた状態で収納される複数のロールスクリーンであって、引き出すことにより横方向に展開可能なロールスクリーンと、
該ロールスクリーンの前縁に沿って取り付けられ上下に延びている支柱と、
前記ロールスクリーンの各々に対して上下一対ずつ用意されるフレーム要素であって、前記柱状本体への組み付け時に該柱状本体に対して垂直になるよう、基端が前記柱状本体の端部付近に設けられた穴内に差込可能とされているフレーム要素と、
前記ロールスクリーンを展開し且つ前記フレーム要素を前記柱状本体に組み付けたときに前記支柱の上下端部と前記フレーム要素とを相互係止することにより前記ロールスクリーンを展開状態に維持するための係止手段と、
を備える間仕切り構造。
【請求項３】
前記柱状本体と下側の前記フレーム要素との間に設けられる筋交い部材をさらに備える、請求項１または２に記載の間仕切り構造。
【請求項４】
前記ロールスクリーンが３枚設けられており、これらが互いに直角をなす３方向に展開可能となされている、請求項１ないし３のいずれかに記載の間仕切り装置。
【請求項５】
複数の間仕切り構造を左右互いに隣接させて使用する場合に、相隣る展開された前記ロールスクリーンどうしを連結するための第１の連結手段をさらに備える、請求項１ないし４のいずれかに記載の間仕切り構造。
【請求項６】
前記第１の連結手段が、相隣る展開された前記フレーム要素の双方に係合する部材である、請求項５に記載の間仕切り構造。
【請求項７】
複数の間仕切り構造を上下互いに隣接させて使用する場合に、相隣る前記柱状本体どうしを連結するための第２の連結手段をさらに備える、請求項１ないし６のいずれかに記載の間仕切り構造。
【請求項８】
前記第２の連結手段が、相隣る前記柱状本体の上端面および下端面に形成された整合穴と、該整合穴に嵌合するピン部材とから構成される、請求項７に記載の間仕切り構造。
【請求項９】
複数の前記ロールスクリーンのそれぞれが独立して展開可能である、請求項１ないし８のいずれかに記載の間仕切り構造。
【発明の詳細な説明】
【技術分野】
【０００１】
本発明は、組立式間仕切りの構成要素となる間仕切り構造に関する。
【背景技術】
【０００２】
災害で緊急避難する場合、体育館等の広い空間に大人数が収容されることが多い。帰宅が可能になるまで、または、仮設住宅に移るまでの間、体育館等で集団共同生活を余儀なくされる場合も多い。プライバシーの確保が難しい状況での生活は大きなストレスを生じさせる。
【０００３】
したがって、間仕切りを用いて体育館等内に世帯ごとの空間を形成することが好ましい。
【発明の開示】
【発明が解決しようとする課題】
【０００４】
しかしながら、緊急時に多くの間仕切りを運搬して集めることは難しい。また、普段は使用しない間仕切りを保管しておく場所を確保しておくことも難しい。
そこで本発明が解決しようとする課題は、保管・運搬時にはコンパクトな形態を保ち、使用時には簡単に組み立てることができる間仕切り構造を提供することにある。この間仕切り構造は、組立式間仕切りの構成要素となる。
【課題を解決するための手段】
【０００５】
上記課題を解決するため、本発明によれば、
柱状本体と、
付勢力によって前記柱状本体内に巻かれた状態で収納される複数のロールスクリーンであって、引き出すことにより横方向に展開可能なロールスクリーンと、
該ロールスクリーンの前縁に沿って取り付けられ上下に延びている支柱と、
前記ロールスクリーンの各々に対して上下一対ずつ設けられた片持ち式のフレーム要素であって、基端が前記柱状本体の端部付近に枢着されており、展開時には前記柱状本体に対して９０度の角度をなすよう枢動可能であり、収納時には前記柱状本体と平行になるように枢動可能であるフレーム要素と、
前記ロールスクリーンおよび前記フレーム要素を展開したときに前記支柱の上下端部と前記フレーム要素とを相互係止することにより前記ロールスクリーンを展開状態に維持するための係止手段と、
を備える間仕切り構造が提供される。
【０００６】
本発明によれば、また、
柱状本体と、
付勢力によって前記柱状本体内に巻かれた状態で収納される複数のロールスクリーンであって、引き出すことにより横方向に展開可能なロールスクリーンと、
該ロールスクリーンの前縁に沿って取り付けられ上下に延びている支柱と、
前記ロールスクリーンの各々に対して上下一対ずつ用意されるフレーム要素であって、前記柱状本体への組み付け時に該柱状本体に対して垂直になるよう、基端が前記柱状本体の端部付近に設けられた穴内に差込可能とされているフレーム要素と、
前記ロールスクリーンを展開し且つ前記フレーム要素を前記柱状本体に組み付けたときに前記支柱の上下端部と前記フレーム要素とを相互係止することにより前記ロールスクリーンを展開状態に維持するための係止手段と、
を備える間仕切り構造も提供される。
【０００７】
前記柱状本体と下側の前記フレーム要素との間に設けられる筋交い部材をさらに備えるようにしてもよい。
前記ロールスクリーンを３枚設け、これらが互いに直角をなす３方向に展開可能とすることができる。ロールスクリーンの数は、２枚でも４枚でもよい。
【０００８】
複数の間仕切り構造を左右互いに隣接させて使用する場合に、相隣る展開された前記ロールスクリーンどうしを連結するための第１の連結手段をさらに備えるようにしてもよい。
【０００９】
前記第１の連結手段は、相隣る展開された前記フレーム要素の双方に係合する部材とすることができる。
複数の間仕切り構造を上下互いに隣接させて使用する場合に、相隣る前記柱状本体どうしを連結するための第２の連結手段をさらに備えるようにしてもよい。
【００１０】
前記第２の連結手段は、相隣る前記柱状本体の上端面および下端面に形成された整合穴と、該整合穴に嵌合するピン部材とから構成することができる。
複数の前記ロールスクリーンのそれぞれが独立して展開可能とすることができる。
【発明の効果】
【００１１】
本発明の間仕切り構造によれば、ロールスクリーンおよびフレーム要素を収納してしまえば、ほぼ柱状本体自身と同じコンパクトな大きさとなるので、非常時に備えて大量に保管しておくこともでき、また、被災地へと大量に運搬することも可能である。
【００１２】
また、遮蔽という目的のためには構造的強度は必要でない、との考えから、遮蔽部分をロールスクリーンとしたので軽量化を図ることができた。
本発明の間仕切り構造は、展開して組み立てるのが容易なので、複数の間仕切り構造を組み合わせて間仕切りを迅速に構成することができる。
【００１３】
本発明の間仕切り構造は、その組み合わせ方により、さまざまな形態の独立空間を形成することができる。また、複数の独立空間を効率良く連続して形成することもできる。
【発明を実施するための最良の形態】
【００１４】
本発明による間仕切り構造は、柱状本体１と、ロールスクリーン２と、支柱３と、上側フレーム要素４と、下側フレーム要素５と、係止手段とを備える。
柱状本体１は中空内部を有しており、中には複数のロールスクリーン２が収納されている。不使用時のそれぞれのロールスクリーン２は、柱状本体１内に設けたバネの付勢力によって、柱状本体１内に巻かれた状態で収納されている。
【００１５】
支柱３は、ロールスクリーン２の前縁に沿って上下に延びるよう、該前縁に取り付けられている。柱状本体１にはスロット６が形成されており、支柱３を外方に引っ張ることにより、スロット６
を通してロールスクリーン２を引き出し、横方向に展開することができる。
【００１６】
図示実施形態においては、柱状本体１内に３枚のロールスクリーン２が収納されているが、２枚もしくは４枚を収納するようにしてもよい。
また、複数のロールスクリーン２はそれぞれ独立して展開可能とされている。したがって、４枚のロールスクリーンが収納されていても、展開するロールスクリーンの数は必要に応じて２枚または３枚とすることもできる。複数のロールスクリーンは、互いに直角をなす方向に展開することができる。
【００１７】
１枚のロールスクリーン２に対して上側フレーム要素４および下側フレーム要素５がそれぞれ一つずつ設けられている。上側フレーム要素４の基端は柱状本体１の上端部付近に枢着され、下側フレーム要素５の基端は柱状本体１の下端部付近に枢着されている。それぞれのフレーム要素４，５は片持ち式に支持されており、基端を中心に枢動可能である。図１（ａ）に示す収納時の場合、フレーム要素４，５は柱状本体１と平行になるように基端を中心として枢動する。図１（ｂ）に示す展開時の場合、フレーム要素４，５は柱状本体１に対して９０度の角度をなすように枢動する。
【００１８】
フレーム要素４，５を収納時の位置に維持するため、フレーム要素と柱状本体１との間に何らかのストッパを設けることが望ましい。
図１（ａ）の収納形態から図１（ｂ）の展開形態へ移行するには、まずフレーム要素４，５を展開し、それからロールスクリーン２を展開する。前述したように、ロールスクリーン２は柱状本体１内に巻き取られるようなバネ付勢力を受けているので、ロールスクリーン２を展開状態に維持するためには係止手段が必要である。かかる係止手段としては、さまざまなものを用いることができる。例えば、フレーム要素４，５の末端に穴を形成し、支柱３の上下両端部がこれらの穴に嵌合することによってロールスクリーン２を展開状態に係止するようにしてもよい。穴の代わりに、フレーム要素４，５の末端に溝を形成し、これらの溝に支柱の上下両端部が嵌合するようにしてもよい。
【００１９】
間仕切り構造を収納形態にするには、上述した穴または溝と支柱３の上下端部とからなる係止手段を解除し、ロールスクリーン２をバネ付勢力によって柱状本体１内に収納し、フレーム要素４，５を枢動して柱状本体１と平行にする。
【００２０】
展開した状態の間仕切り構造が安定した状態で自立できるよう、柱状本体１と下側フレーム要素５との間に筋交い部材（図示せず）を設けるようにしてもよい。かかる筋交い部材は、一端を下側フレーム要素５に枢着され、他端を自由端となされたものとし、使用時に自由端を柱状本体１に係止するようにしてもよい。
【００２１】
本発明の間仕切り構造は、これを複数用いて組み合わせることにより、独立した空間を形成することができる。その一例を図２に示す。中央の独立空間Ｓ１は、本発明の間仕切り構造を四つ使用して形成されている。独立空間Ｓ１と同じ広さの独立空間Ｓ２は、これら四つの間仕切り構造にさらに二つの間仕切り構造を追加することで形成される。奥の二つの間仕切り構造は、それぞれ２枚のロールスクリーン２しか展開していない。
【００２２】
このように、本発明の間仕切り構造を連続して隣接させ、必要なロールスクリーン２を選択的に展開することにより、多数の独立空間を効率良く形成することができる。
必要であれば、複数の間仕切り構造を左右互いに隣接させて使用する場合に、相隣る展開されたロールスクリーン２どうしを連結するための連結手段を設けてもよい。かかる連結手段としては多種多様のものが適用できるが、例えば相隣る展開されたフレーム要素４，５の双方に係合する部材を利用してもよい。かかる部材は上側フレーム要素４に用いてもよいし、下側フレーム要素５に用いてもよい。
【００２３】
本発明の間仕切り構造は、複数を上下互いに隣接させて使用することもできる。かかる使用態様は、遮蔽する高さを高くしたいときに用いられる。この場合には、下の間仕切り構造と上の間仕切り構造とを互いに連結する連結手段が設けられる。かかる連結手段の一例が、図１に示すような柱状本体１の上下両端面に形成された整合穴７およびこれに嵌合するピン部材８である。下側の間仕切り構造の柱状本体１の上端面に形成された整合穴７と、これに整合するよう上側の間仕切り構造の柱状本体１の下端面に形成された整合穴７との双方に、ピン部材８を嵌合させることにより、上下の間仕切り構造は互いに連結される。必要であれば、下側の間仕切り構造の上側フレーム要素４と、これに隣接する上側の間仕切り構造の下側フレーム要素５との双方に係合する部材を、追加の連結手段として用いてもよい。
【００２４】
本発明の別の実施態様による間仕切り構造（図示せず）は、フレーム要素が柱状本体１と別体とされている。柱状本体１の上下両端部付近に設けられた穴内にフレーム要素のそれぞれの基端を差し込むことにより、フレーム要素は柱状本体１に組み付けられる。柱状本体１に対して垂直に組み付けられたフレーム要素と支柱３の上下端部とを前述したように相互係止することにより、引き出したロールスクリーン２を展開状態に維持することができる。柱状本体１と別体のフレーム要素は、不使用時に柱状本体１の内部に収容されるようにしてもよいし、何らかの取り付け手段によって柱状本体１の外側に取り付けられるようにしてもよい。
【図面の簡単な説明】
【００２５】
【図１】図１（ａ）はロールスクリーンおよびフレーム要素を柱状本体に収納した状態の、本発明による間仕切り構造の一実施形態を示す斜示図である。  図１（ｂ）はロールスクリーンおよびフレーム要素を柱状本体から展開した状態の、本発明による間仕切り構造の一実施形態を示す斜示図である
【図２】本発明の間仕切り構造を用いて複数の連続する独立空間を形成した状態を示す斜示図である。
【符号の説明】
【００２６】
１  柱状本体、２  ロールスクリーン、３  支柱、４  上側フレーム要素、５  下側フレーム要素、６  スロット、７  整合穴、８  ピン部材。
【図１】
2007070919.tif 000003
【図２】
2007070919.tif 000004